(57)【要約】【課題】安価な材料で構成され、素材の熱変形・膨張・反りなどの影響を受けない衛生設備室の床構造を提供する。【解決手段】衛生設備室の床構造において、上記衛生設備室自体の荷重及び室内に積載される荷重を支持する熱可塑性樹脂からなる床ベース部と、該床ベース部より熱膨張率低い部材からなり上記床ベース部の四周に該床ベース部の熱膨張収縮に影響されず滑動自在に載置されるフレームと、該フレーム上に四周が固定され、上記床ベース部上に該床ベース部及び上記フレーム間の熱膨張収縮差に追従可能に敷設された表面側床と、上記フレーム上において上記表面側床上に立設され上記衛生設備室の壁面を構成する壁パネルとを備える。【選択図】  図２
2007146429.tif 000002
【特許請求の範囲】
【請求項１】
衛生設備室の床構造において、
上記衛生設備室自体の荷重及び室内に積載される荷重を支持する熱可塑性樹脂からなる床ベース部と、
該床ベース部より熱膨張率の低い部材からなり上記床ベース部の四周に該床ベース部の熱膨張収縮に影響されず滑動自在に載置されるフレームと、
該フレーム上に四周が固定され、上記床ベース部上に該床ベース部及び上記フレーム間の熱膨張収縮差に追従可能に敷設された表面側床と、
上記フレーム上において上記表面側床上に立設され上記衛生設備室の壁面を構成する壁パネルと、
を備えることを特徴とする衛生設備室の床構造。
【請求項２】
前記フレームと前記床ベース部の該フレームに対向する側面との間に熱膨張収縮を吸収する緩衝帯を備えることにより上記床ベース部及び上記フレーム間の熱膨張収縮差に追従可能としたことを特徴とする請求項１記載の衛生設備室の床構造。
【請求項３】
前記表面側床は、可撓性を有する部材により前記床ベース部の全長より長く形成され、該床ベース部より長い余裕部分は、前記フレーム近傍において屈曲部を形成し、上記床ベース部及び上記フレーム間の熱膨張収縮差をその屈曲部分の開閉により吸収する緩衝帯を備えることを特徴とする請求項１記載の衛生設備室の床構造。
【発明の詳細な説明】
【技術分野】
【０００１】
本発明は浴室等の衛生設備室に使用される床パネルの構造に関する。
【背景技術】
【０００２】
浴室等の衛生設備室の床構造に要求されるものとして、この床上にかかる荷重を支持できる構造上の強度、及び衛生設備室で使用された水が外部へ漏出することを防ぐ水密性が挙げられる。そして、使用者に心地よさを与える表面の意匠性や、長期の使用に耐える耐久性、更には、施工時の取り扱い易さの点で軽量であること等も求められる。
【０００３】
これらの要件を満足するものとして、従来ＦＲＰが単一材料として用いられてきた。しかしながら、このＦＲＰは、高度な複合材料であり、また成形に長時間を要し、また広い作業スペースを必要とすることから高価であり、現状では大幅なコストダウンは見込めない状況にある。
【０００４】
また、環境保全のために産業廃棄物削減・再資源化が叫ばれている中、ＦＲＰは熱硬化性樹脂であり、さらにガラス繊維も配合されていることから、処分が困難であるという欠点がある。
【０００５】
この点、熱可塑性樹脂は、熱硬化性樹脂に比べて安価であり、また、加熱により溶融するため、処分が容易かつ再生樹脂として再利用が可能であるという長所がある。
【０００６】
斯かる熱可塑性樹脂を用いた防水パンの構造として、外縁の一部または全周が縦壁を形成し、床板部分が傾斜した集水構造を有する箱状防水パンであって、基材が熱可塑性樹脂からなり、床板裏面にリブ状補強体が設けられたものや（例えば、特許文献１参照。）、熱可塑性樹脂からなる基材に、発泡樹脂材、金属材、木質材のいずれかで形成されている別部材の補強材が基材の裏面に付着されて成形されている防水パンの構造が提案されている（例えば、特許文献２参照。）。
【０００７】
しかしながら、従来の熱可塑性樹脂を衛生設備室の床構造に採用しようとするものでは、熱膨張率が大きいという熱可塑性樹脂の短所について何ら検討されていない。
【０００８】
すなわち、ＦＲＰの線膨張率が２〜２．５×１０−５／℃であるのに対し、熱可塑性樹脂では、ポリプロピレンやＡＢＳの線膨張率が１１×１０−５ ／℃、ポリエチレンのそれは１２×１０−５ ／℃、ＰＶＣでは１５×１０−５ ／℃とかなり大きい値になっている。
【０００９】
これらの材料を、例えば部材長１６９０ｍｍの床に採用し、−１０℃〜４０℃（＝Δ５０℃）の温度変動幅がある環境におく場合について検討すると、ＦＲＰでは、最大寸法差＝線膨張係数×部材長×温度変動＝２×１０−５／℃×１６９０×５０℃＝１．７ｍｍとなり、許容限度内にあるといえる。
【００１０】
これに対し、ポリプロピレンでは、最大寸法差＝１１×１０−５／℃×１６９０×５０℃＝９．３ｍｍ、ＰＶＣでは、最大寸法差＝１５×１０−５／℃×１６９０×５０℃＝１２．７ｍｍとかなり大きくなる。
【００１１】
仮に熱可塑性樹脂で設計する場合、通常２０℃近辺を基準温度として低温側と高温側にレンジを振り分け、実使用域での寸法変位の影響を少なくするよう計算される。しかし、熱変形以外にも単純な製品寸法公差等も加味されるので、膨張収縮変化のみで１０ｍｍ近くもの値は設計上許容されない。これでは部屋内寸法などが変動し、各種部材の基準寸法を定めることができず、また、何とか収めたとしても、経時的に部材間の継ぎ目にクラックが入ったり、変形する可能性が非常に高くなるからである。
【特許文献１】特開平１１−２１００３９号公報
【特許文献２】特開２００１−２４８１９８号公報
【発明の開示】
【発明が解決しようとする課題】
【００１２】
本発明は、上述した事情を考慮してなされたもので、安価な材料で構成され、素材の熱変形・膨張・反りなどの影響を受けない衛生設備室の床構造を提供することを目的とするものである。そして、本発明の他の目的は、リサイクル可能な衛生設備室の床構造を提供することにある。
【課題を解決するための手段】
【００１３】
本発明に係る衛生設備室の床構造は、上述した課題を解決するために、請求項１に記載したように、衛生設備室の床構造において、上記衛生設備室自体の荷重及び室内に積載される荷重を支持する熱可塑性樹脂からなる床ベース部と、該床ベース部より熱膨張率の低い部材からなり上記床ベース部の四周に該床ベース部の熱膨張収縮に影響されず滑動自在に載置されるフレームと、該フレーム上に四周が固定され、上記床ベース部上に該床ベース部及び上記フレーム間の熱膨張収縮差に追従可能に敷設された表面側床と、上記フレーム上において上記表面側床上に立設され上記衛生設備室の壁面を構成する壁パネルとを備える。
【００１４】
好適には、請求項２に記載したように、前記フレームと前記床ベース部の該フレームに対向する側面との間に熱膨張収縮を吸収する緩衝帯を備えることにより上記床ベース部及び上記フレーム間の熱膨張収縮差に追従可能とすることができる。
【００１５】
また、より好適には、請求項３に記載したように、前記表面側床は、可撓性を有する部材により前記床ベース部の全長より長く形成され、該床ベース部より長い余裕部分は、前記フレーム近傍において屈曲部を形成し、上記床ベース部及び上記フレーム間の熱膨張収縮差をその屈曲部分の開閉により吸収する緩衝帯を備える構成としてもよい。
【発明の効果】
【００１６】
本発明に係る衛生設備室の床構造によれば、安価な材料で構成され、素材の熱変形・膨張・反りなどの影響を受けない衛生設備室の床構造を得ることができる。また、本発明は、衛生設備室の床構造をリサイクル可能にすることができる効果が得られる。
【発明を実施するための最良の形態】
【００１７】
本発明に係る衛生設備室の床構造の第１の実施形態について、浴室の洗い場床を例にとって、添付図面を参照して説明する。図１は、本発明に係る衛生設備室の床構造の実施形態の全体的な概要を示す分解斜視図である。この実施形態に示された衛生設備室としての浴室の床は、入浴者が洗髪、洗体等を行う洗い場床１と、浴槽が載置される浴槽側床（図示せず）とから構成され、本実施形態に係る洗い場床１は、床ベース部３、フレーム１０及び表面側床５から成る。
【００１８】
床ベース部３は、略板状の基部３ａと、この底部３ａから上方へ突出した複数のリブ３ｂと、基部３ａ外縁部に設けられたフレーム載置部３ｃとから構成される。
【００１９】
床ベース部３は、ポリプロピレン、ＡＢＳ、ポリエチレン、ＰＶＣ等の熱可塑性樹脂が加熱圧縮成形等により一体に形成されたものであり、したがって、その熱膨張率は比較的大きく、温度変化に対する膨張収縮は大きい。また、床ベース部３は、石油等から新たに生成されたものであってもよいが、廃プラスティック等から再生された再生樹脂であってもよい。また、使用されなくなったときに、資源として再利用可能なように、ガラス繊維等の補強剤は配合されない。
【００２０】
基部３ａは、浴室の壁パネル１１（図２参照。）やその上に載置された天井パネル（図示せず）及び自身の重量、並びに洗い場を使用する入浴者の体重等のすべての荷重を支持し、下に位置する建築床へと伝達する。
【００２１】
リブ３ｂは、基部３ａを補強するものであり、縦横に格子状に配置されても、平行に配置されてもよい。また、後述する表面側床にかかる荷重を受けて基部３ａに伝達する機能も果たし、そのためその上端は表面側床の水勾配に従って変化する。
【００２２】
フレーム載置部３ｃは、図２に示すように、基部の外縁に、そこに載置されるフレーム１０の上端が表面側床６と略同じレベルになるように、リブ３ｂ上端より一段低い位置に設けられる。このフレーム載置部３ｃは、フレーム１０及びその上に立設される壁パネル１１の荷重を支持できる強度を有する一方、その表面は、ベース床３が温度変化に起因する膨張収縮により水平方向の相対位置が変位してもそれに追従しないよう平滑に仕上げられている。さらに潤滑油等が施されてもよい。
【００２３】
なお、この床ベース部３に使用可能な素材は多岐にわたり、加熱圧縮成形ができ、ある程度の強度を有し、安価であれば、熱可塑性樹脂のみならず何でも利用可能である。例えば、住宅の解体時に発生する廃木材を中心とする建設廃木材や間伐材等から生産される木チップに接着剤等のバインダーを塗布して積層マット化したものを加熱圧縮成型により得られたものを使用することもできる。
【００２４】
フレーム３は、例えば角形鋼管や低膨張率の樹脂部材等で長方形に組まれて形成され、熱膨張率は、ベース床３のそれに比べて小さい。
【００２５】
床ベース部３は、熱可塑性樹脂等で形成されるので、その熱膨張率はかなり大きいといえる。したがって、例えば長期的には、夏季と冬季、短期的には寒い冬季に熱い湯を使う場合等、その寸法に相当な差が生じる。
【００２６】
他の部材、例えば壁パネル１１等の熱膨張率もこれと同等であれば問題はないが、通常は比較的小さいため、寸法の伸び縮みに差が生じ、これが原因で壁パネル間のジョイント部分に亀裂が生じかねない。そこで、熱膨張率が大きく異ならない、例えば金属製のフレームを設け、壁パネル１１をその上に立設することにより、この問題を解決しようとするものである。
【００２７】
表面側床５は、ポリプロピレンやポリエチレン等可撓性を有する汎用樹脂等で形成され、洗い場の床を形成する本体５ａと、その周囲を囲繞する壁パネル載置部５ｂ及び土手部５ｃとを備える。
【００２８】
本体５ａは、ベース床３のリブ３ｂ上端間に架設固定されるので、入浴者の体重等ある程度の荷重に堪えられる強度を有し、また、その表面が仕上げ材に適さない、或いは特別な機能（例えば保温性）を必要とする場合等には、その上に更に仕上げ材１２を敷設してもよい。
【００２９】
本体５ａには、最もレベルが高い外周部から、土手部５ｃ中央に設けられた排水トラップ用開口７に向かって下る水勾配が設けられ、洗い場で使用された水は、このトラップ（図示せず）に導出され、ここを経由して外部に放出される。
【００３０】
壁パネル載置部５ｂは、図２に示すように、本体５ａの浴槽側床２に隣接する縁部以外の三方に、本体５ａより一段高く形成され、この上に浴室の壁面を構成する壁パネル１１が立設される。
【００３１】
土手部３ｃは、ベース本体の浴槽側床２と隣接する縁部に、やはりベース本体３ａより一段高く形成され、この上には浴槽側面を掩蔽するバスエプロン（図示せず）が載置される。
【００３２】
表面側床５の外縁部は、図２に示すように、フレーム１０上の移動不能に固定され、最外縁部はＴ字状に形成され、下側はフレーム１０の背面に係止し、上側は壁パネル若しくは壁パネルを支える支柱（図示せず）に係止する。
【００３３】
表面側床は、その水平方向の長さは縦横両方共床ベース部３よりも長く余裕を持って形成され、その長さの余裕分は、フレーム１０に固定された部分とリブ３ｂに固定された部分との間で屈曲されて緩衝帯５ｄが形成される。この緩衝帯５ｄの開口は、床ベース部３ａの熱膨張圧縮に追従して拡がり又は狭まって、床ベース部３ａの熱膨張圧縮がフレーム１０に影響を及ぼさないようになっている。
【００３４】
本構成では、高価なＦＲＰに代えて、安価な熱可塑性樹脂や可撓性を有する汎用樹脂で形成されるので、例えば金属製のフレーム１０を追加して、なお安価な床構造とすることができる。
【００３５】
本実施の形態に係る衛生設備室の床構造は、上記のように構成されており、以下その動作について説明する。
【００３６】
温度が上昇すると、床構造１は全体的に図２に矢印イの方向に膨張するのであるが、床ベース部３の熱膨張率が他の部材のそれよりも大きいので、相対的には、床ベース部のみが矢印イ側へ膨張しているように見える。
【００３７】
フレーム１０は、この動きにより、矢印イ側へ引っ張られる力を受けるが、フレーム１０の対向する辺では逆方向の力を受けて相殺されること、及びフレーム載置面３ｃが滑面に仕上げられているのいで、摩擦抵抗が小さく滑り易いことから、その位置を変えることはない。
【００３８】
これに対し、表面側床５の端部は、床ベース部３の最外縁にリブ３ｂに固定されているので、温度上昇とともに矢印イ側に移動し、フレーム１０との間隔が小さくなる。このとき、緩衝帯５ｄの上方に開いた開口が小さくなることにより表面側床５の膨張が吸収されるので、表面側床５の本体５ａの端部がフレーム１０に当接して、これを押し広げる方向の力を加えることはなく、また、この力により自らが座屈することもない。
【００３９】
温度が下降すると、床ベース部３は逆に、相対的に矢印ロ側へ動くが、上述したようにフレーム１０はこの動きに影響されることはなく、その位置を変えることはない。また、表面側床５では、本体５ａがフレーム１０から相対的に遠ざかり、緩衝帯５ｄの上方に開いた開口が大きくなるだけで、部材間に不要な力が働くことはない。
【００４０】
本発明は、上述したように、素材の熱変形・膨張・反りなどの影響を受けない構成とすることで、強制的に変形を抑えるような強固な補強を施すこともなく、またガラス繊維添加などの素材改良を用いない汎用樹脂で浴室ユニットの床面を構成できるようにしたので、安価に製品を供給するとともにリサイクル性を高め、環境負荷を低減させることが可能となる。
【００４１】
次に、本発明に係る衛生設備室の床構造の第２の実施形態について、図３を参照して説明する。本実施の形態に係る洗い場床１Ａは、床ベース部３の基部３ａが表面側床５の直下に配置され、リブ３ｂはこの基部３ａから下方へ垂設される点で、第１の実施形態におけるものと基本的に相違し、他の構成は第１の実施形態と実質的に同じであり、同じ符号を付して説明を省略する。
【００４２】
本実施形態に係る表面床５は、構造体たる基部３ａ上に全面的に敷設されるので、表面側床５の材料に面強度は必要なく、第１の実施形態で採用されるものの外、一般建築で用いられるクッションフロア材や軟質シート材のような樹脂化粧シート、及びその他水に強く、意匠性に優れ、浴室床の表面部の機能を満足させることができる性能を持った安価な仕上げ素材が用いられる。すなわち、汎用性・生産性の高い安価な素材を薄く使用できるばかりでなく、ＦＲＰ等の樹脂一体物では得ることのできない、保温性や足ざわり、防音性能などを安価に付加することもできる。
【００４３】
表面床５は、必ずしも可撓性を有するとは限らないので、第１の実施形態おけるような緩衝帯５ｄを設けることはできないので、これに代えて、裏面に多数のスリット５ｅを設け、このスリット５ｅの幅を拡大縮小させることにより、表面床５と床ベース部３との熱膨張収縮の差を吸収させている。
【００４４】
また、表面床が柔軟な部材であれば、外縁においてフレーム１０や壁パネル１１を係止させる事ができないので、新たに壁パネル係止部材１４が設けられる。そして、フレーム１０と床ベース部３との熱膨張収縮の差は、壁パネル係止部材１４と床ベース部３ａとの間隙に施工されたシリコンコーキング等の弾性接着剤によって、吸収される。
【００４５】
本実施形態においても、強制的に変形を抑えるような強固な補強を施すこともなく、その構成により、素材の熱変形・膨張・反りなどの影響を受けない衛生設備室の床構造を得ることができる。
【００４６】
以上に説明した実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【図面の簡単な説明】
【００４７】
【図１】本発明に係る衛生設備室の床構造の第１の実施形態の概要を示す分解斜視図。
【図２】図１に示された衛生設備室の床構造の外縁部を含む縦断面図。
【図３】本発明に係る衛生設備室の床構造の第２の実施形態の概要を示す縦断面図。
【符号の説明】
【００４８】
１，１Ａ  洗い場床
３  床ベース部
３ａ  基部
３ｂ  リブ
３ｃ  フレーム載置部
５  表面側床
５ａ  本体
５ｂ  壁パネル載置部
５ｃ  土手部
５ｄ  緩衝帯
５ｅ  スリット
８  開口
１０  フレーム
１１  壁パネル
１２  仕上げ材
１３  弾性接着剤
１４  壁パネル係止部材
【図１】
2007146429.tif 000003
【図２】
2007146429.tif 000004
【図３】
2007146429.tif 000005